(57)【特許請求の範囲】
【請求項１】
ガラスパネル用の縦フレームを介して間仕切りパネルと前記ガラスパネルとを直線状に接合してなり、前記縦フレームは、両側辺の上端にそれぞれ外フランジと内フランジとを有する左右対称の断面溝形に形成し、前記外フランジを除く下側部分を前記間仕切りパネルの側端面の凹溝に収納するとともに前記外フランジの下面側を前記間仕切りパネルの側端面に密着させて固定することにより前記外フランジの厚さ相当の見付を形成し、前記各内フランジの先端のパッキンを介して前記ガラスパネルのガラス板の側端縁を保持する一方、前記見付は、前記間仕切りパネルの表面に連続する平面に形成することを特徴とする間仕切り装置におけるパネルの接合構造。
【請求項２】
ガラスパネルと、該ガラスパネルの左右に隣接する間仕切りパネルとを備えてなり、前記ガラスパネルと前記各間仕切りパネルは、請求項１記載の間仕切り装置におけるパネルの接合構造を介して接合し、前記ガラスパネルの下部には、両端を前記縦フレームに連結して前記ガラス板を支持する下フレームを配設し、前記ガラスパネルの上部には、前記各間仕切りパネルの上部にまで連続する天フレームを配設することを特徴とする間仕切り装置。
【請求項３】
前記下フレームは、内フランジ付きの一対の上向きの起立辺を有し、前記各内フランジの先端のパッキンを介して前記ガラス板の下端縁を保持することを特徴とする請求項２記載の間仕切り装置。
【請求項４】
前記起立辺の一方は、着脱可能な押え縁として形成することを特徴とする請求項３記載の間仕切り装置。
【請求項５】
前記天フレームは、内フランジ付きの一対の下向きの起立辺を有し、前記各内フランジの先端のパッキンを介して前記ガラス板の上端縁を保持することを特徴とする請求項２ないし請求項４のいずれか記載の間仕切り装置。
【発明の詳細な説明】
【技術分野】
【０００１】
この発明は、ガラスパネルと間仕切りパネルとを組み合わせ、近代的でシャープな外観を容易に実現することができる間仕切り装置におけるパネルの接合構造と、それを使用する間仕切り装置に関する。
【背景技術】
【０００２】
ガラスパネルと間仕切りパネルとを組み合わせて構成する間仕切り装置が知られている（たとえば特許文献１）。
【０００３】
この種の従来の間仕切り装置は、断面長方形の枠部材の長辺側の両面に対称形の凹溝を形成し、このような枠部材を間仕切りパネルの縦枠、横枠として使用するとともに、ガラスパネルのガラス板を支持するための支柱や、ドアパネル用のドア枠の構造材などとして共通に使用することにより、部材の共通化を図り、全体コストの削減を図ることができる。なお、間仕切りパネルは、縦枠、横枠の両面にパネル板を貼着して形成することができ、ガラス板は、たとえば間仕切りパネルの縦枠として使用されている枠部材の外向きの凹溝内に相対向して形成する係合突条の先端のパッキンを介して側端縁を保持することができる。
【先行技術文献】
【特許文献】
【０００４】
【特許文献１】特開２００２−１３８６０７号公報
【発明の概要】
【発明が解決しようとする課題】
【０００５】
かかる従来技術によるときは、ガラスパネルと間仕切りパネルとの接合部分において、枠部材は、ガラス板用の支柱と、間仕切りパネルの縦枠とを兼ねる構造材として使用されているが、外部からは、ガラス板を保持させる側の面だけがガラスパネル側から見え、見付として視認されることがないため、正面視において格別なアクセントを提供することができず、希薄な印象の陳腐なデザインしか実現することができないという問題があった。
【０００６】
そこで、この発明の目的は、かかる従来技術の問題に鑑み、ガラスパネル用の外フランジ付きの縦フレームを介して間仕切りパネルとガラスパネルとを接合することによって、外フランジの厚さ相当の見付を接合部分に視認させ、近代的でシャープなデザインの外観を容易に実現することができる間仕切り装置におけるパネルの接合構造と、それを使用する間仕切り装置を提供することにある。
【課題を解決するための手段】
【０００７】
かかる目的を達成するためのこの出願に係る第１発明（請求項１に係る発明をいう、以下同じ）の構成は、ガラスパネル用の縦フレームを介して間仕切りパネルとガラスパネルとを直線状に接合してなり、縦フレームは、両側辺の上端にそれぞれ外フランジと内フランジとを有する左右対称の断面溝形に形成し、外フランジを除く下側部分を間仕切りパネルの側端面の凹溝に収納するとともに外フランジの下面側を間仕切りパネルの側端面に密着させて固定することにより外フランジの厚さ相当の見付を形成し、各内フランジの先端のパッキンを介してガラスパネルのガラス板の側端縁を保持する一方、見付は、間仕切りパネルの表面に連続する平面に形成することをその要旨とする。
【０００８】
第２発明（請求項２に係る発明をいう、以下同じ）の構成は、ガラスパネルと、ガラスパネルの左右に隣接する間仕切りパネルとを備えてなり、ガラスパネルと各間仕切りパネルは、第１発明に係る間仕切り装置におけるパネルの接合構造を介して接合し、ガラスパネルの下部には、両端を縦フレームに連結してガラス板を支持する下フレームを配設し、ガラスパネルの上部には、各間仕切りパネルの上部にまで連続する天フレームを配設することをその要旨とする。
【０００９】
なお、下フレームは、内フランジ付きの一対の上向きの起立辺を有し、各内フランジの先端のパッキンを介してガラス板の下端縁を保持することができ、起立辺の一方は、着脱可能な押え縁として形成することができる。
【００１０】
また、天フレームは、内フランジ付きの一対の下向きの起立辺を有し、各内フランジの先端のパッキンを介してガラス板の上端縁を保持してもよい。
【発明の効果】
【００１１】
かかる第１発明の構成によるときは、ガラスパネル用の縦フレームは、外フランジを除く断面溝形の下側部分が間仕切りパネルの側端面の凹溝に収納され、外フランジを間仕切りパネルの側端面に密着させて固定されている。そこで、縦フレームは、ガラスパネルと間仕切りパネルとの接合部分において、外フランジの厚さ相当の細幅の見付を形成して外部に視認させることができ、近代的でシャープなデザインを実現することができる。
【００１２】
なお、両側辺の上端の外フランジを含む縦フレームの全幅は、間仕切りパネルの厚さに一致させることが好ましく、縦フレームの外フランジ、内フランジの上面側は、同一平面に形成することが好ましい。また、間仕切りパネルは、たとえば木質ファイバボードの中質繊維板（ＭＤＦ）の芯材の両面にメラミン樹脂化粧板などの表面板を貼着する木質パネルの他、ペーパハニカムの芯材の両面に金属製、樹脂製、木製、布製などの表面板を貼着する一般的なパネル板などであってもよく、ペーパハニカムの四周には、木質または金属質の枠材を配置してもよい。一方、ガラスパネルは、飛散防止フィルム貼りのガラス板、強化ガラス板、合せガラス板などのガラス板の両側端縁を縦フレームに保持させて形成するものとする。
【００１３】
第２発明の構成によるときは、ガラスパネルの左右にそれぞれ間仕切りパネルを隣接させ、第１発明に係るパネルの接合構造を介してガラスパネルと各間仕切りパネルとを接合するから、第１発明と同様の効果を実現することができる。なお、左右の間仕切りパネルは、互いに独立にそれぞれたとえば幅３００〜１２００mmに設定することができ、ガラスパネルは、たとえば幅１５０〜９００mmに設定することができる。
【００１４】
ガラスパネルの下部に配設する下フレームは、ガラスパネルのガラス板を支持するとともに、両端を左右の縦フレームに連結することにより、ガラスパネルを挟む左右の間仕切りパネルの下部を一体に連結することができる。各縦フレームは、対応する間仕切りパネルの側端面の凹溝に収納して固定されているからである。一方、下フレームは、内フランジ付きの上向きの起立辺を有し、パッキンを介してガラス板の下端縁を安定に、しかも水密に保持することができる。また、起立辺の一方を着脱可能な押え縁とすれば、押え縁を着脱することにより、ガラス板を簡単に装着し、取り外すことができる。
【００１５】
ガラスパネルの上部の天フレームは、左右の間仕切りパネルの上部にまで連続させることにより、ガラスパネルを挟む左右の間仕切りパネルの上部を一体に連結することができる。ただし、天フレームの両端部は、左右の間仕切りパネルの上部に連結するものとする。また、天フレームは、内フランジ付きの下向きの起立辺を有し、パッキンを介してガラス板の上端縁を安定に、しかも水密に保持することができる。
【図面の簡単な説明】
【００１６】
【図１】全体分解斜視図
【図２】間仕切りパネルの構成説明図
【図３】要部拡大横断面図
【図４】要部拡大縦断面図
【図５】図１の要部拡大図
【図６】要部拡大正面図
【発明を実施するための形態】
【００１７】
以下、図面を以って発明の実施の形態を説明する。
【００１８】
間仕切り装置は、ガラスパネル１０と、ガラスパネル１０の左右に隣接する間仕切りパネル２０、２０とを備えてなる（図１）。なお、ガラスパネル１０の下部には、下フレーム３１が配設され、ガラスパネル１０、間仕切りパネル２０、２０の上部には、天フレーム４１が配設されている。
【００１９】
間仕切りパネル２０は、芯材２１の両面に表面板２２、２２を貼着して構成されている（図１、図２）。ただし、図２（Ａ）、（Ｂ）は、それぞれ図１の間仕切りパネル２０の縦断面図、横断面図である。
【００２０】
間仕切りパネル２０の左右の側端面には、それぞれ凹溝２３が形成されている。また、間仕切りパネル２０の上端面には、凹溝２４が形成されている。凹溝２３、２４は、それぞれ間仕切りパネル２０の全高、全幅に亘って形成されている。間仕切りパネル２０は、床面Ｆ上のアジャストボルト２５、２５を介して高さ調節可能に支持されており、間仕切りパネル２０の下端面には、各アジャストボルト２５に対応する埋込ナット２５ａ、２５ａが埋設されている。ただし、図２（Ａ）には、アジャストボルト２５、２５、埋込ナット２５ａ、２５ａの各１個のみが下穴２５ｂとともに図示されている。
【００２１】
ガラスパネル１０は、ガラス板１１と、ガラス板１１の左右の側端縁に沿う縦フレーム１２、１２とを組み合わせて構成されている（図１、図３）。
【００２２】
各縦フレーム１２は、両側辺１２ａ、１２ａの上端にそれぞれ外フランジ１２ｂ、内フランジ１２ｃを有し、全体として左右対称の断面溝形に形成されている。なお、外フランジ１２ｂ、内フランジ１２ｃの上面側は、同一平面に形成されている。各縦フレーム１２は、対応する間仕切りパネル２０の凹溝２３に外フランジ１２ｂ、１２ｂ以外の下側部分を収納するとともに、外フランジ１２ｂ、１２ｂの下面側を間仕切りパネル２０の側端面に密着させ、底面を貫通する止めねじ１３、１３…を介して間仕切りパネル２０に固定されている。ただし、外フランジ１２ｂ、１２ｂを含む縦フレーム１２の全幅は、間仕切りパネル２０の厚さに一致している。また、各外フランジ１２ｂの下面には、浅溝１２ｄが形成されており、したがって、外フランジ１２ｂは、先端部分の下面側のみが間仕切りパネル２０の側端面に密着して厚さ相当の見付ａを形成する。
【００２３】
一方、内フランジ１２ｃ、１２ｃの先端には、それぞれパッキン（ガラスビート）１４が装着されている。そこで、縦フレーム１２は、パッキン１４、１４を介してガラス板１１の側端縁を弾発的に保持することができる。なお、各縦フレーム１２の底面には、ガラス板１１の側端面と対向するようにして、クッションテープ１５が付設されている。クッションテープ１５は、ガラス板１１が縦フレーム１２に当たって破損するような不測の事故を防止する。
【００２４】
下フレーム３１は、内フランジ３１ｂ付きの一対の上向きの起立辺３１ａ、３１ａを有する（図３、図４）。ただし、一方の起立辺３１ａは、着脱可能な押え縁３２として形成されている。押え縁３２は、下端の内向きの係合フランジ３２ａを下フレーム３１の係合部３１ｃに係脱することにより、下フレーム３１に着脱することができる（図１、図４）。
【００２５】
下フレーム３１の両端は、それぞれ連結金具３３を介し、対応する縦フレーム１２の下部に連結されている（図１、図５）。旗状の板材をＬ字状に屈曲する連結金具３３の幅狭の一辺は、止めねじ３３ａ、３３ａを介して縦フレーム１２とともに間仕切りパネル２０の凹溝２３内に固定されている（図５、図６）。また、連結金具３３の幅広の他辺は、短いビス３３ｂ、３３ｂを介して下フレーム３１の下面に連結されている。なお、縦フレーム１２の底面のクッションテープ１５は、図６に拘らず、縦フレーム１２の長さ方向に必ずしも連続している必要がなく、断続的であってもよいものとする。
【００２６】
下フレーム３１の内フランジ３１ｂ、３１ｂの先端には、パッキン１４、１４が装着されている（図４）。そこで、下フレーム３１は、パッキン１４、１４を介してガラス板１１の下端縁を弾発的に保持することができる。なお、下フレーム３１の両端部には、それぞれガラス板１１を支持するセッティングブロック３４が配置されている（図４、図６）。また、下フレーム３１の中間部には、床面Ｆとの間にクッション性の受け部材３５が配置されている。そこで、下フレーム３１は、両端部のセッティングブロック３４、３４、中間部の受け部材３５を介し、ガラス板１１を下側から支持することができる。
【００２７】
天フレーム４１の全長は、ガラスパネル１０、間仕切りパネル２０、２０の合計幅相当に設定されている（図１）。すなわち、天フレーム４１は、ガラスパネル１０の上部から各間仕切りパネル２０の上部にまで連続しており、各間仕切りパネル２０の上部の両端部は、それぞれ止めねじ４２、４２を介し、間仕切りパネル２０の上端面の凹溝２４内に収納して固定されている（図１、図２（Ａ））。
【００２８】
天フレーム４１は、全長に亘り、内フランジ４１ｂ付きの一対の下向きの起立辺４１ａ、４１ａを有する（図４）。また、ガラスパネル１０の上部において、各内フランジ４１ｂの先端には、パッキン１４が装着されている。そこで、天フレーム４１は、パッキン１４、１４を介し、ガラス板１１の上端縁を弾発的に保持することができる。ただし、ガラス板１１の四周のパッキン１４、１４…は、なるべく長く連続させ、全長を１本にまとめることが好ましい。
【００２９】
以上の説明において、各縦フレーム１２、下フレーム３１、天フレーム４１は、それぞれアルミニウムの押出形材により形成されている。また、各縦フレーム１２の外フランジ１２ｂの厚さ相当の見付ａは、下フレーム３１、天フレーム４１の見付ｂ、ｃとともに、約３mm程度に統一することが好ましい。ただし、このときの間仕切りパネル２０は、厚さ約４０mmとする。
【産業上の利用可能性】
【００３０】
この発明は、オフィスなどの共有スペースの他、空港・駅・マンション・ホテルなどの諸施設のホールやエントランス、店舗、介護・福祉施設、病院などのあらゆる近代的な建築物に設置するために、広く好適に適用することができる。
【符号の説明】
【００３１】
ａ…見付
１０…ガラスパネル
１１…ガラス板
１２…縦フレーム
１２ａ…側辺
１２ｂ…外フランジ
１２ｃ…内フランジ
１４…パッキン
２０…間仕切りパネル
２３…凹溝
３１…下フレーム
３１ａ…起立辺
３１ｂ…内フランジ
３２…押え縁
４１…天フレーム
４１ａ…起立辺
４１ｂ…内フランジ
特許出願人      小松ウオール工業株式会社
【図１】
0006542520.tif 000002
【図２】
0006542520.tif 000003
【図３】
0006542520.tif 000004
【図４】
0006542520.tif 000005
【図５】
0006542520.tif 000006
【図６】
0006542520.tif 000007